(57)【要約】【課題】  無線通信を行う機器において、受信側の電波状態を最適に調整して通信を行う場合、ユーザーの手元の機器に電界強度を表示しないと、手元と電界強度表示が別々の場所になり、アンテナの調整をしにくい弱点がある。また、送ろうとしているコンテンツに対して、電界強度情報では得られる画質の度合いが充分かどうか分からないため、過度なアンテナ調整をしてしまう弱点があった。【解決手段】  １カメラはアンテナの位置、方向調整時に、２０テレビに対して受信電波状態を示す電界強度情報をリクエストする。２０テレビは受信電波の電界強度を測定し、１カメラへ送る。１カメラは受信した電界強度を９表示部へ表示する。【選択図】  図１
2009267790.tif 000002
【特許請求の範囲】
【請求項１】
画像再生装置と画像表示装置の間が無線通信で接続されていて、画像再生装置は、第1のコマンド送受信部、データ送信部と、第1の表示部を持ち、画像表示装置は、第2のコマンド送受信部、データ受信部と、受信電波状態を測定する受信電波状態測定部と、第2の表示部を持ち、受信電波状態測定部で取得した電波状態情報を第1、第2のコマンド送受信部を用いて通信して、第１の表示部へ電波状態情報を表示することを特徴とする無線通信システム。
【請求項２】
画像再生装置と画像表示装置の間が無線通信で接続されていて、画像再生装置は、第1のコマンド送受信部、データ送信部と、第1の表示部を持ち、画像表示装置は、第2のコマンド送受信部、データ受信部と、受信電波状態を測定する受信電波状態測定部と、第2の表示部を持ち、受信電波状態測定部で取得した電波状態情報、画質情報を第1、第2のコマンド送受信部を用いて通信して、第２の表示部へ画質情報を表示することを特徴とする無線通信システム。
【請求項３】
請求項１、又は請求項２の画像再生装置は装置を制御するシステム制御部、コンテンツを記憶する記憶部を持ち、記憶部からコンテンツの画像フォーマットを取得して、画像フォーマットの一覧と画質の上限と下限を表示することを特徴とする無線通信システム。
【請求項４】
請求項１、又は請求項２の画像再生装置は画像表示装置から請求項１の電波状態情報を取得して、電波状態から画質情報へ変換する変換テーブルを用いて再生可能な画質情報を求めて、表示することを特徴とする無線通信システム。
【請求項５】
請求項３の画質情報の表示は、請求項２で表示した画像フォーマット一覧に対して伝送可能なものを選択表示することを特徴とする無線通信システム。
【請求項６】
請求項１、又は請求項２の画像再生装置のシステム制御部はアンテナ方向を決定する通知を検出すると、選択した画像フォーマット情報を画像表示装置へ送信することを特徴とする無線通信システム。
【請求項７】
画質情報は画像フォーマット、映像フォーマット、テスト画像、画質を表すキャラクタ、電波状態情報のいずれかであることを特徴とする請求項１に記載の無線通信システム。
【請求項８】
電波状態情報は電界強度、磁界強度、転送レート、S/N比率であることを特徴とする請求項１に記載の無線通信システム。
【発明の詳細な説明】
【技術分野】
【０００１】
本発明は、ミリ波を用いた通信を行う時に受信状態が最適になるようなアンテナの位置と方向を調整する技術に関する。
【背景技術】
【０００２】
ミリ波通信においては、
（１）電波の直進性が高いので、障害物に対して回り込む性質が弱い
（２）金属以外の物体にも遮断される
（３）電波干渉により通信不可領域が数cm間隔で存在する
の特性により、電波状態の最適な通信路を確保する必要がある。そのために受信側の電波状態を監視する方法として、受信電界強度を測定して送信側に送信する従来技術があった。
【特許文献１】特開2001-144654号公報
【発明の開示】
【発明が解決しようとする課題】
【０００３】
しかし、ユーザーの手元の機器に電界強度を表示しないと、手元と電界強度表示が別々の場所となり、アンテナ調整をしにくい弱点がある。また、送ろうとしているコンテンツに対して、得られる画質の度合いが充分かどうか分からないため、過度なアンテナ調整をしてしまう弱点があった。
【課題を解決するための手段】
【０００４】
第1に画像再生装置と画像表示装置の間が無線通信で接続されていて、画像再生装置は、第1のコマンド送受信部、データ送信部と、第1の表示部を持ち、画像表示装置は、第2のコマンド送受信部、データ受信部と、受信電波状態を測定する受信電波状態測定部と、第2の表示部を持ち、受信電波状態測定部で取得した電波状態情報を第1、第2のコマンド送受信部を用いて通信して、第１の表示部へ画質情報を表示することを特徴とする。
【０００５】
第２に画像再生装置と画像表示装置の間が無線通信で接続されていて、画像再生装置は、第1のコマンド送受信部、データ送信部と、第1の表示部を持ち、画像表示装置は、第2のコマンド送受信部、データ受信部と、受信電波状態を測定する受信電波状態測定部と、第2の表示部を持ち、受信電波状態測定部で取得した電波状態情報、画質情報を第1、第2のコマンド送受信部を用いて通信して、第２の表示部へ画質情報を表示することを特徴とする。
【０００６】
第３に画像再生装置は装置を制御するシステム制御部、コンテンツを記憶する記憶部を持ち、記憶部からコンテンツの画像フォーマットを取得して、画像フォーマットの一覧と画質の上限と下限を表示することを特徴とする。
【０００７】
第４に画像再生装置は画像表示装置から電波状態情報を取得して、電波状態から画質情報へ変換する変換テーブルを用いて再生可能な画質情報を求めて、表示することを特徴とする。
【０００８】
第５に画質情報の表示は、表示した画像フォーマット一覧に対して伝送可能なものを選択表示することを特徴とする。
【０００９】
第６に画像再生装置のシステム制御部はアンテナ方向を決定する通知を検出すると、選択した画像フォーマット情報を画像表示装置へ送信することを特徴とする。
【００１０】
第７に画質情報は画像フォーマット、映像フォーマット、テスト画像、画質を表すキャラクタ、電波状態情報のいずれかであることを特徴とする。
【００１１】
第８に電波状態情報は電界強度、磁界強度、転送レート、S/N比率であることを特徴とする。
【発明の効果】
【００１２】
手元の機器に電波状態を表示することにより、ユーザーは手元だけを見てアンテナ調整を行うことが出来る。
【００１３】
送ろうとしているコンテンツに対して、得られる画質の度合いが充分かどうか分かるようになり、過度なアンテナ調整が不要になる。
【発明を実施するための最良の形態】
【００１４】
次に、本発明の詳細を実施例の記述に従って説明する。
【実施例１】
【００１５】
図１はカメラとテレビをミリ波無線通信で接続して、映像再生を行うためのシステム構成図である。
【００１６】
１カメラはカムコーダーあるいはデジカメである。１カメラはコンテンツを再生して非圧縮のストリームでテレビに出力する。
【００１７】
２コマンド送受信部は冗長な通信を行うことを特徴とするので、広いなエリアの通信が出来る。２コマンド送受信部は主に制御コマンドを転送するために用いるが、電界強度、転送レートや画像データを送ることも可能である。
【００１８】
３データ送信部は非圧縮のストリームを伝送するために用いる。アンテナの位置、方向調整時は、３データ送信部からミリ波を出力する。
【００１９】
４アンテナは２コマンド送受信部と３データ送信部が使用する。
【００２０】
５マイコンは１カメラのシステムを制御する。マイコンは電界強度と画像フォーマットの変換テーブルを持っている。５マイコンは電界強度を伝送可能な画像フォーマットに変換する。
【００２１】
６ＳＤメモリ制御は７ＳＤメモリカードへ撮影コンテンツを記録、再生するためのコントローラーである。５マイコンは７SDメモリカード内のコンテンツの画像フォーマット情報を取得し、コンテンツ画質の上限と下限を求める。
【００２２】
８表示制御部は９表示部に画像、キャラクタ、文字などを表示する。
【００２３】
２０テレビは通常の１カメラと高速通信で接続して、映像、画像を表示する機能を持つ。
【００２４】
２１コマンド送受信部は冗長な低速通信を行うことを特徴としているので、ワイドなエリアの通信が出来る。２コマンド送受信部は主に制御コマンドを転送するために用いるが、データを送ることも可能である。５マイコンは電界強度を２０テレビに対して行い、２０テレビは電界強度情報を取得後、１カメラに送信する。１カメラと２０テレビ間の電波状態の伝送を２コマンド送受信部と２１コマンド送受信部を用いて行う。
【００２５】
２２データ受信部は非圧縮のストリームを伝送するために用いる。
【００２６】
２３受信電界強度測定部は１カメラのデータ送信部から出力された電波を２０テレビが受信してそのときの電界強度を測定するために用いる。
【００２７】
２４アンテナは２１コマンド送受信部、２２データ送受信部が使用する。
２５マイコンは２テレビシステムを制御する。
【００２８】
２６表示制御部は２７表示部を制御するために用いる。
【００２９】
尚、上記構成のSDメモリカードはSD以外のメモリカードでも良い。また、メモリカードで無くても、カメラ内のメモリでも良い。
【００３０】
受信側の電波状態を知るために電界強度を測定しているが、それ以外に受信転送レート、磁界強度、S/N比率でも構わない。
【００３１】
図２は実施例１のシーケンスを説明するためのフローチャートである。
Ｓ１でカメラのアンテナ調整を開始する。この状態で、第1、第2のコマンド送受信部は通信接続を完了している。
【００３２】
Ｓ２は７ＳＤメモリカードから全再生コンテンツの画像フォーマット情報を取得して、再生画像フォーマットを９表示部へ表示する。
【００３３】
Ｓ３はカメラからテレビへ電界強度情報をリクエストするためのコマンドを発行する処理である。
【００３４】
Ｓ４は２０テレビが２３受信電界強度測定部を使って電界強度を測定する処理である。Ｓ５はコマンド送受信部を用いてカメラへ電界強度を送信する。
【００３５】
Ｓ６はカメラが電界強度情報を用いて、その電波状態で伝送可能な画像フォーマットを変換テーブルから求める処理である。
【００３６】
Ｓ７はＳ２で表示した画像フォーマットに対して、Ｓ６で求めた伝送可能な画像フォーマットの表示色を変える処理である。
【００３７】
以下、アンテナの位置、方向調整中はＳ３からＳ８を繰り返す。
【００３８】
Ｓ８はアンテナ位置、方向の調整を終えた時の、アンテナの位置、方向を決定する処理であり、カメラのシャッターボタン等を押すことで決定する。シャッターボタンが押された場合はS9へ分岐する。シャッターボタンが押されていない場合はアンテナ調整中とみなし、S3へ分岐して電波状態の表示処理を繰り返す。
【００３９】
Ｓ９はアンテナの位置、方向を決定したことをテレビにコマンドで通知する処理である。
【００４０】
Ｓ１０はアンテナ位置、方向決定時の画像フォーマットをコマンドでテレビに送信する処理である。
【００４１】
Ｓ１１はＳ１０でテレビへ通知した画像フォーマットでストリーム伝送を行う。
【００４２】
上記シーケンスにより、１カメラはコマンド送受信部を用いて、受信電界強度を取得して、変換テーブルで伝送可能な画像フォーマットを求めることが出来る。
【００４３】
上記より、ユーザーはカメラの表示部に表示される伝送可能な画像フォーマットを見ながら、カメラのアンテナの位置、方向を調整することが出来る。
【００４４】
９表示部へ表示した内容をコマンド送受信部で２０テレビへ送信することで、テレビの２７表示部へ表示することもできる。
【００４５】
図３は実施例１の電界強度と伝送可能な画像フォーマットの変換テーブルを説明するための図である。
【００４６】
カメラはテレビから送られてきた受信電界強度から対応する画像フォーマットを求めることが出来る。
【００４７】
上記テーブルにより、電界強度を伝送可能な画像フォーマットに変換することができ、ユーザーは電界強度ではなく、伝送可能な画像フォーマットを見ながらアンテナ調整を行うことができる。
【００４８】
図４は実施例１の９表示部の説明図である。
【００４９】
１００はアンテナ調整開始時の９表示部の表示例である。
【００５０】
再生画像フォーマットは通信規格上許されている画像フォーマット一覧を表示する。画像フォーマットの左側に上限と下限を示す矢印がある。上限の矢印はカメラ内再生コンテンツの最も良い画質の画像フォーマットを示している。下限の矢印はカメラ内再生コンテンツの最低画質の画像フォーマットを示している。１００の場合、Ｄ２〜Ｄ５の画像フォーマットを持つ再生コンテンツが存在していることを示している。
【００５１】
１０１はアンテナ位置、方向調整中のＵＩ表示である。画像フォーマットのＤ１、Ｄ２部分が四角形で囲まれている。これは現在の電波状態で伝送可能な画像フォーマットを示している。
【００５２】
１０２は伝送可能な画像フォーマットがＤ５になったことを示している。ユーザーはこの状態でカメラの撮影ボタンを押すと、Ｄ５に伝送画像フォーマットが決まる。カメラはＳ９でアンテナ方向が決定したことを通知し、Ｓ１０で選択した伝送画像フォーマット情報をテレビへ送信する。
【００５３】
以上説明したように、再生コンテンツの画質の上限、下限と伝送可能な画質を表示して、画質の上限と下限を目安としてアンテナ方向の調整を行うことが出来る。
【００５４】
上記説明の中で、伝送可能な画像フォーマットを四角形で囲むとあるが、これは文字の色を変える、文字のフォントを変える、グラフィックスパターンを変えることでも同様のことが出来る。
【００５５】
画像フォーマットは画質、解像度を表すものであり、ファイン、スーパーファイン、1600×1200、200Mpixelなどの画質、解像度を区別する文字、記号でもよい。
【実施例２】
【００５６】
実施例２は現在の電波状態で通信した時の画質を表すテスト画像をテレビに表示して、カメラのアンテナ調整を行う場合のケースである。
【００５７】
システム構成は実施例１と同じであるので省略する。
【００５８】
図５は実施例２のシーケンスを説明するためのフローチャートである。
【００５９】
Ｓ１でカメラのアンテナ調整を開始する。
【００６０】
Ｓ２はカメラからテレビへ電界強度情報をリクエストするためのコマンドを発行する処理である。
【００６１】
Ｓ３はテレビが２３受信電界強度測定部を用いて電界強度を測定する処理である。測定した電界強度はＳ４において、コマンド送受信部を使って、電界強度をカメラへ送信する。
【００６２】
Ｓ５はカメラが電界強度情報を用いて、その電波状態で伝送可能な画質を表すためのテスト画像を決定する処理である。
【００６３】
Ｓ６はＳ５のテスト画像を内部メモリ等から読み出す処理である。
【００６４】
Ｓ７はＳ６で準備したテスト画像を２カメラから２０テレビへ送信する処理である。
【００６５】
Ｓ８はテレビ側の処理で、Ｓ７のテスト画像をテレビの２７表示部に表示する処理である。
【００６６】
以下、アンテナの位置、方向調整中はＳ２からＳ８を繰り返す。
【００６７】
Ｓ９はアンテナの位置、方向を決定する処理であり、カメラのシャッターボタン等を押すことで決定する。シャッターボタンが押されると処理はS10へ分岐する。シャッターボタンが押されない場合はS２へ分岐し、電波状態の表示処理を繰り返す。
【００６８】
Ｓ１０はアンテナの位置、方向を決定したことをテレビにコマンドで通知する処理である。
【００６９】
Ｓ１１はアンテナ位置、方向決定時の画像フォーマットをコマンドでテレビに送信する処理である。
【００７０】
Ｓ１２はＳ１０でテレビへ通知した画像フォーマットでストリーム伝送を行う。
【００７１】
上記シーケンスにより、テレビの表示部へテスト画像を表示してカメラのアンテナ位置、方向調整を行うことが出来る。
【００７２】
S6で求めたサンプル画像をS7でテレビへ送らないで、１カメラの９表示部に表示することで、１カメラの９表示部に表示されるテスト画像を見てアンテナの位置、方向調整を行えるようになる。
【００７３】
図６は実施例２の電界強度と伝送可能な画質をあらわすテスト画像の変換テーブルを説明するための図である。
【００７４】
テーブルには受信電界強度とテスト画像名の対応が記述されている。カメラはテレビから送られてきた受信電界強度から対応するテスト画像名を求めることが出来る。
【００７５】
図７は実施例２の９表示部の説明図である。
【００７６】
１１０はアンテナ調整開始時の２７表示部の転送可能画質を表すテスト画像である。１１１はアンテナ方向調整中、１１２はアンテナ方向決定時のテスト画像を表示している。テスト画像の画質がよくなるように、ユーザーはアンテナの位置、方向を調整する。
【００７７】
ユーザーはテレビのテスト画像を見ながら、カメラのアンテナ調整を行うことが出来る。
【００７８】
上記表示のほかに、実施例１で説明した表示内容を加えても良い。
【図面の簡単な説明】
【００７９】
【図１】システム構成図
【図２】実施例１のフローチャート
【図３】実施例１の変換テーブル
【図４】実施例１の表示例
【図５】実施例２のフローチャート
【図６】実施例２の変換テーブル
【図７】実施例２の表示例
【符号の説明】
【００８０】
１  カメラ
２  コマンド送受信部
３  データ送信部
４  アンテナ
５  マイコン
６  ＳＤメモリ制御部
７  ＳＤメモリカード
８  表示制御部
９  表示部
２０  テレビ
２１  コマンド送受信部
２２  データ送受信部
２３  受信電界強度測定部
２４  アンテナ
２５  マイコン
２６  表示制御部
１００  実施例１の表示例１
１０１  実施例１の表示例２
１０２  実施例１の表示例３
１１０  実施例２の表示例１
１１１  実施例２の表示例２
１１２  実施例２の表示例３
【図１】
2009267790.tif 000003
【図２】
2009267790.tif 000004
【図３】
2009267790.tif 000005
【図４】
2009267790.tif 000006
【図５】
2009267790.tif 000007
【図６】
2009267790.tif 000008
【図７】
2009267790.tif 000009